(57)【要約】【課題】  仮設トイレＡの周囲に容易に着脱できて持ち運びや保管などに便利であり、しかも、省スペースで設置できて狭い建築現場でも外観良好に使用できる仮設トイレ用のブラインドを提供する。【解決手段】  仮設トイレＡの外周囲に立設される前後左右の支柱１１〜１４と、仮設トイレＡの側面との対向部位で前後の支柱１１，１３及び１２，１４の上下部位に着脱可能に連結されるサイド杆１５，１６と、仮設トイレＡの背面との対向部位で後部側左右の支柱１３，１４の上下部位に着脱可能に連結されるリヤ杆１７，１８と、上下のサイド杆１５，１６と前後の支柱１１，１３、１２，１４との間及び上下のリヤ杆１７，１８と後部側左右の支柱１３，１４との間にそれぞれ取り外し可能に張設されるサイドシート１９及びリヤシート２０とから構成されている。【選択図】  図１
2005290859.tif 000002
【特許請求の範囲】
【請求項１】
仮設トイレ用のブラインドであって、仮設トイレの外周囲に立設される前後左右の支柱と、仮設トイレの側面との対向部位で前後の支柱の上下部位に着脱可能に連結されるサイド杆と、仮設トイレの背面との対向部位で後部側左右の支柱の上下部位に着脱可能に連結されるリヤ杆と、上下のサイド杆と前後の支柱との間及び上下のリヤ杆と後部側左右の支柱との間にそれぞれ取り外し可能に張設されるサイドシート及びリヤシートとからなる仮設トイレ用のブラインド。
【請求項２】
請求項１において、前記サイド杆及びリヤ杆は、長さ方向両端部に支柱の外面一部に嵌め込まれる嵌合部が形成されており、この嵌合部を支柱の外面一部に嵌め込んだ状態でサイド杆及びリヤ杆が支柱に連結具を介して取り外し可能に連結されている仮設トイレ用のブラインド。
【請求項３】
請求項１又は２において、前記サイド杆の上下方向中間部位に複数のロック杆が設けられ、このロック杆は仮設トイレに着脱可能に取り付けられ、ロック杆の長さ方向両側が前後の支柱に着脱可能に連結されている仮設トイレ用のブラインド。
【請求項４】
請求項１〜３の何れかにおいて、仮設トイレの背面との対向部位で後部の支柱の近くには、上部側に上部のリヤ杆に係止される係止部が、下部側に下部のリヤ杆に連結される連結部が形成されたシート保持杆が後部の支柱と平行に着脱可能に設けられ、このシート保持杆の上部側にリヤ杆と平行に延びるシート支持杆が着脱可能に設けられ、このシート支持杆と下部のリヤ杆にリヤシートが取り付けられている仮設トイレ用のブラインド。
【発明の詳細な説明】
【技術分野】
【０００１】
本発明は、建築現場などで使用される仮設トイレ用のブラインドに関するものである。
【背景技術】
【０００２】
建築現場などにおいては、作業員などが使用する仮設トイレが設置されている。ところで、建築現場で仮設トイレを剥き出し状態で設置する場合は、周囲の環境に悪影響を及ぼし、特に密集した住宅地などでは近隣住民に不快感を与える。これを解消することを目的として、従来、仮設トイレの周囲を取り巻くようにブラインドを一体状に組付けたものがある（特許文献１参照）。
【特許文献１】特開２００４−７６４８１号公報
【発明の開示】
【発明が解決しようとする課題】
【０００３】
しかし、従来のものでは、仮設トイレの周りにブラインドが一体に組付けられ、ブラインドの取り外しを行うことは困難なため、全体が嵩張って持ち運ぶときや不使用時の収納保管に不便となる。
【０００４】
そこで、本発明は、仮設トイレの周囲に容易に着脱できて持ち運びや保管などに便利であり、しかも、省スペースで設置できて狭い建築現場でも外観良好に使用できる仮設トイレ用のブラインドを提供することを目的とする。
【課題を解決するための手段】
【０００５】
上記目的を達成するために、本発明のブラインドは、仮設トイレの外周囲に立設される前後左右の支柱と、仮設トイレの側面との対向部位で前後の支柱の上下部位に着脱可能に連結されるサイド杆と、仮設トイレの背面との対向部位で後部側左右の支柱の上下部位に着脱可能に連結されるリヤ杆と、上下のサイド杆と前後の支柱との間及び上下のリヤ杆と後部側左右の支柱との間にそれぞれ取り外し可能に張設されるサイドシート及びリヤシートとから構成されている。
【０００６】
建築現場などでブラインドを組み立てるときには、仮設トイレの周囲の前後左右に支柱を立設して、仮設トイレの側面との対向部位で前後の支柱の上下部位にサイド杆を連結すると共に、仮設トイレの背面との対向部位で後部側左右の支柱の上下部位にリヤ杆を連結する。また、上下のサイド杆と前後の支柱との間にサイドシートを、上下のリヤ杆と後部側左右の支柱との間にリヤシートをそれぞれ張設する。これにより、仮設トイレの出入用ドアが設けられる前面側を除く他の３面、つまり、仮設トイレの２つの側面と裏面とがそれぞれサイド及びリヤシートでコンパクトに省スペースで覆い隠されて、たとえ密集した住宅地などの建築現場においても周囲の環境を損なうことはない。また、外部への露出部位がないので、狭い建築現場でも外観良好な使用が行える。しかも、ブラインドは仮設トイレに対し着脱可能であるので、持ち運ぶときや不使用時の収納保管に便利となり、特に、ブラインドを構成する支柱、サイド杆、リヤ杆、サイド及びリヤシートは、それぞれ互いに着脱可能に連結され、分解時には小さな部品となるので、持ち運びや保管などに一層便利となる。
【０００７】
本発明の一実施形態では、前記サイド杆及びリヤ杆の長さ方向両端部に、支柱の外面一部に嵌め込まれる嵌合部が形成されており、この嵌合部を支柱の外面一部に嵌め込んだ状態でサイド杆及びリヤ杆が支柱に連結具を介して取り外し可能に連結されている。この構成によれば、連結具を介して支柱に対するサイド杆及びリヤ杆の着脱操作が容易に行える。また、サイド杆及びリヤ杆の長さ方向両端部に嵌合部を設け、この嵌合部を支柱の外面一部に嵌め込んだ状態で、支柱に対するサイド杆及びリヤ杆の連結を行うことにより、これらサイド及びリヤ杆の確実かつ強固な連結が行える。
【０００８】
本発明の他の実施形態では、前記サイド杆の上下方向中間部位に複数のロック杆が設けられ、このロック杆は仮設トイレに着脱可能に取り付けられ、ロック杆の長さ方向両側が前後の支柱に取り外し可能に連結されている。この構成によれば、ロック杆を介して各支柱が仮設トイレに一体状に強固に連結される。
【０００９】
本発明のさらに他の実施形態では、仮設トイレの背面との対向部位で後部の支柱の近くに、上部側に上部のリヤ杆に係止される係止部が、下部側に下部のリヤ杆に連結される連結部が形成されたシート保持杆が後部の支柱と平行に着脱可能に設けられ、このシート保持杆の上部側にリヤ杆と平行に延びるシート支持杆が着脱可能に設けられ、このシート支持杆と下部のリヤ杆にリヤシートが取り付けられている。この構成によれば、仮設トイレに溜まった汚物を背面側から回収処理するようなとき、下部のリヤ杆を後部側左右の支柱から取り外して持ち上げることにより、シート保持杆の係止部が上部のリヤ杆から外れて、リヤシートの全体が取り外れるので、仮設トイレの背面側の開放が容易に行える。
【発明の効果】
【００１０】
以上の本発明のブラインドによれば、仮設トイレの周囲に容易に着脱できて持ち運びや保管などに便利であり、しかも、省スペースで設置できて狭い建築現場でも外観良好に使用することができる。
【発明を実施するための最良の形態】
【００１１】
以下、本発明にかかる仮設トイレのブラインドを図面に基づいて説明する。
図１は本発明の一実施形態にかかるブラインドの使用状態を正面図、図２はその右側面図、図３は背面図である。仮設トイレＡは、出入用ドアＤが取り付けられる前枠ＦＦと、これの両側から後方に延設される側板ＳＰと、この側板ＳＰの後部側に前枠ＦＦと対向状に取り付けられる後板ＲＰと、天板ＣＰとからなる。また、仮設トイレＡの内部には、図示しない便器が設置され、その下部にタンクＴが設置されて、これの背面側に汲取り口Ｍが設けられている。
【００１２】
ブラインドＢは、仮設トイレＡの前部側の左右両側に立設される第１，第２支柱１１，１２と、後部側の左右両側に第１，第２支柱１１，１２と対向状に立設される第３，第４支柱１３，１４との合計４本の支柱を備え、前後の第１，第３支柱１１，１３及び第２，第４支柱１２，１４の上下部位で仮設トイレＡの側面との対向部位に、上下２つの第１及び第２サイド杆１５，１６が着脱可能に連結され、後部側左右の第３，第４支柱１３，１４の上下部位で仮設トイレＡの背面との対向部位には、上下２つの第１及び第２リヤ杆１７，１８が着脱可能に連結されている。また、上下の第１，第２サイド杆１５，１６と前後の第１，第３支柱１１，１３及び第２，第４支柱１２，１４との間にはサイドシート１９が、上下の第１，第２リヤ杆１７，１８と後部側左右の第３，第４支柱１３，１４との間にはリヤシート２０がそれぞれ取り外し可能に張設される。
【００１３】
さらに、ブラインドＢには、図１に示すように、第１，第２支柱１１，１２の上部位で仮設トイレＡの前面との対向部位に、フロント杆２８が着脱可能に連結され、このフロント杆２８に、カーテン状シート２９が取り外し可能に設けられる。このような構成にすることで、仮設トイレの前面も覆い隠すことが可能となる。また、仮設トイレＡを使用する際には、カーテン状シート２９を左右のいずれか一方に寄せ束ねることで、仮設トイレＡの出入用ドアＤの開閉の邪魔になることもない。
【００１４】
図４は前記サイド杆１５，１６及びリヤ杆１７，１８の支柱１１〜１４に対する連結状態を拡大して示す平面図である。前記各支柱１１〜１４、サイド杆１５，１６及びリヤ杆１７，１８としては、軽量なアルミ製のパイプが好適に用いられ、サイド杆１５，１６及びリヤ杆１７，１８の長さ方向両端部には、各支柱１１〜１４の外面一部に嵌め込まれる嵌合部２２が形成されており、この嵌合部２２を各支柱１１〜１４の外面一部に嵌め込んだ状態で、サイド杆１５，１６及びリヤ杆１７，１８が支柱１１〜１４に第１連結具３１を介して取り外し可能に連結されている。
【００１５】
この図の実施形態では、各支柱１１〜１４として丸パイプを用い、サイド杆１５，１６及びリヤ杆１７，１８の長さ方向両端部を扁平に圧潰して、その先端部を半円弧形状に成形して嵌合部２２を形成し、この嵌合部２２を各支柱１１〜１４の外周一部に嵌め込んで連結している。また、第１連結具３１としては、頭付きのボルト３１ａとナット３１ｂとを用い、このボルト３１ａを各支柱１１〜１４の外周一部に嵌め込まれた嵌合部２２側から各支柱１１〜１４を通して外部へと挿通させ、その挿通端部にナット３１ｂを螺締することにより、各支柱１１〜１４に対しサイド杆１５，１６及びリヤ杆１７，１８を取り外し可能に連結している。このようにすれば、各支柱１１〜１４に対するサイド杆１５，１６及びリヤ杆１７，１８の着脱操作が第１連結具３１を介して容易に行える。しかも、サイド杆１５，１６及びリヤ杆１７，１８の長さ方向両端部に嵌合部２２を設け、この嵌合部２２を支柱１１〜１４の外面一部に嵌め込んだ状態で、支柱１１〜１４に対するサイド杆１５，１６及びリヤ杆１７，１８の連結を行うことにより、これらサイド杆１５，１６及びリヤ杆１７，１８の確実かつ強固な連結が行える。なお、前記各支柱１１〜１４としては、角パイプを用いることも可能であり、この場合は前記嵌合部２２を角パイプに嵌合可能な側面視コ字形状に形成する。
【００１６】
図５は前記サイドシート１９及びリヤシート２０の一部の拡大正面図である。これらのシート１９，２０としては、不透明なビニルシートなどが好適に用いられ、その周囲には鳩目のような多数の環体２３がカシメ止めされている。そして、これらの環体２３と各支柱１１〜１４、第１，第２サイド杆１５，１６及び第１，第２リヤ杆１７，１８との間にインシュロックなどのワンタッチで連結可能な結束バンド２１を掛け渡して締め付けることにより、サイドシート１９及びリヤシート２０が取り外し可能に張設されている。
【００１７】
図６は図２のＸ−Ｘ方向から見た一部切欠いた拡大断面図である。前記サイド杆１５，１６の上下方向中間部位には、上下２本のロック杆２４，２４が設けられ、このロック杆２４は仮設トイレＡの側板ＳＰに固定され、ロック杆２４の長さ方向両側が前後の第１，第３支柱１１，１３及び第２，第４支柱１２，１４に連結されている。これらのロック杆２４も前記サイド杆１５，１６及びリヤ杆１７，１８の場合と同様に、長さ方向両端部に嵌合部２２が形成され、この嵌合部２２を各支柱１１〜１４の外面一部に嵌め込んだ状態で、頭付きのボルト３２ａとナット３２ｂとからなる第２連結具３２を介して支柱１１〜１４に対し取り外し可能に連結されている。
【００１８】
図６の実施形態では、前記ロック杆２４に仮設トイレＡの前枠ＦＦ及び後板ＲＰに向かって突出するＬ形の固定金具２５，２５の一片２５ｂ，２５ｂを頭付きのボルト３３ａとナット３３ｂからなる第３連結具３３により固定し、これら固定金具２５を第４連結具３４により前枠ＦＦ及び後板ＲＰに取り外し可能に連結している。さらに詳しく説明すると、前枠ＦＦ及び後板ＲＰの左右端部から外方に延出させた延出端部ａと、側板ＳＰの前後端部から前記延出端部ａと対向状に延出された延出端部ｂとを互いに突き合わせた状態で、前枠ＦＦ及び後板ＲＰに対して側板ＳＰが組付けられており、これら両端部ａ，ｂの突き合わせ端部に固定金具２５の他片２５ａを対接させた状態で、第４連結具３４の頭付きのボルト３４ａを挿通させて端部にナット３４ｂを螺締することにより、固定金具２５を介して前記ロック杆２４を前枠ＦＦ及び後板ＲＰに取り外し可能に連結している。なお、図９に示すように、固定金具２５の一片２５ｂに形成され、ボルト３３ａが差し込まれる穴２５ｃは、各支柱１１〜１４の軸方向に沿う縦長とされ、ロック杆２４に形成される穴２４ａを、ロック杆２４の軸方向に沿う横長とすることで、ブラインドＢの上下前後の動きを可能にし、ブラインドＢの取付けが容易になる。
【００１９】
図７は前記リヤシート２０の張設状態を説明する拡大背面図である。仮設トイレＡの背面との対向部位で後部側の第３，第４支柱１３，１４の内方側近くには、これらと平行に上下方向に延びる左右一対のシート保持杆２６が取り外し可能に取り付けられている。この保持杆２６は、図８に示すように、上部側に上部の第１リヤ杆１７に係止される側面視Ｕ形状の係止部２６ａが、下部側に下部の第２リヤ杆１８に連結される扁平な連結部２６ｂが形成されていて、前記係止部２６ａを第１リヤ杆１７に係止させた状態で、連結部２６ｂを第５連結具３５により第２リヤ杆１８に取り外し可能に取り付けている。なお、２６ｃは、取付穴である。
【００２０】
また、前記左右のシート保持杆２６の上部側には、上下のリヤ杆１７，１８と平行に延びる１本のシート支持杆２７が設けられ、このシート支持杆２７と下部の第２リヤ杆１８にリヤシート２０が、その周囲に設けた環体２３とシート支持杆２７及び第２リヤ杆１８に結束バンド２１を掛け渡して締め付けることにより取り外し可能に取り付けられている。このシート支持杆２７は、その長さ方向端部に前述したものと同様に半円弧形状の嵌合部２７ａが形成され、この嵌合部２７ａを前記保持杆２６の外周一部に嵌め込んで第６連結具３６により取り外し可能に連結している。前記保持杆２６やシート支持杆２７も前記の支柱１１〜１４などと同様に軽量なアルミ製のパイプが好適に用いられる。
【００２１】
次に、以上の構成としたブラインドＢを設置する場合の手順について説明する。先ず、建築現場などでブラインドＢを組み立てるときには、仮設トイレＡの周囲の前後左右に第１〜第４支柱１１〜１４を立設して、仮設トイレＡの側面との対向部位で前後の第１，第３支柱１１，１３及び第２，第４支柱１２，１４の上下部位に、上下２つの第１及び第２サイド杆１５，１６をそれぞれ第１連結具３１により取り付ける。続いて、仮設トイレＡの背面との対向部位で後部側左右の第３，第４支柱１３，１４の上下部位に、上下２つの第１及び第２リヤ杆１７，１８を第１連結具３１により取り付ける。
【００２２】
また、前記各サイド杆１５，１６の上下方向中間部で、仮設トイレＡの上下方向中間高さ位置にロック杆２４を、これに固定した固定金具２５及び第４連結具３４を介して取り付け、このロック杆２４の長さ方向両側を前後の第１，第３支柱１１，１３及び第２，第４支柱１２，１４に第２連結具３２を介して取り付ける。このようにすれば、ロック杆２４を介して各支柱１１〜１４が仮設トイレＡに一体状に強固に連結される。
【００２３】
この後、上下の第１，第２サイド杆１５，１６と前後の第１，第３支柱１１，１３及び第２，第４支柱１２，１４との間にサイドシート１９を結束バンド２１により張設する。
【００２４】
また、仮設トイレＡの背面側には、後部左右の第３及び第４支柱１３，１４と平行に左右一対のシート保持杆２６を、その上部の係止部２６ａを第１リヤ杆１７に係止させた状態で、下部の扁平部２６ｂを取付穴２６ｃと第５連結具３５とで第２リヤ杆１８に連結することにより取り付ける。これと同時に、左右のシート保持杆２６の上部側に１本のシート支持杆２７を第６連結具３６により取り付ける。そして、前記シート支持杆２７と下部の第２リヤ杆１８にリヤシート２０を結束バンド２１により取り付ける。このようにすれば、仮設トイレＡに溜まった汚物を背面側から回収処理するようなとき、下部の第２リヤ杆１８を後部側の第３，第４支柱１，１４から取り外して持ち上げると、保持杆２６の上部の係止部２６ａが上部の第１リヤ杆１７から外れて、リヤシート２０の全体が取り外されるので、仮設トイレＡの背面側に設けたタンクＴの汲取り口Ｍの開放が容易に行える。
【００２５】
以上のようにすれば、仮設トイレＡの２つの側面と背面とがそれぞれサイド及びリヤシート１９，２０によりコンパクトに小さなスペースで覆い隠されて、たとえ密集した住宅地などの建築現場においても周囲の環境を損なうことはない。
【００２６】
また、建築完成時などに仮設トイレＡを撤去するような場合は、前述した場合とは逆の手順で、先ずサイド及びリヤシート１９，２０を取り外し、この後、前記シート保持杆２６とシート支持杆２７を取り外し、同時にサイド杆１５，１６とリヤ杆１７，１８及びロック杆２４を取り外して分解することにより、ブラインドＢの全体が仮設トイレＡから分離されるので、持ち運びや保管などに便利となる。特に、前記支柱１１〜１４、サイド杆１５，１６、リヤ杆１７，１８、サイド及びリヤシート１９，２０、ロック杆２４、シート保持杆２６、シート支持杆２７は、分解により小さな部品となるので、持ち運びや保管などに一層便利となる。
【図面の簡単な説明】
【００２７】
【図１】本発明の一実施形態にかかるブラインドの使用状態を正面図である。
【図２】同ブラインドの右側面図である。
【図３】同ブラインドの背面図である。
【図４】サイド杆及びリヤ杆の支柱に対する連結状態を示す拡大平面図である。
【図５】サイドシート及びリヤシートの一部の拡大正面図である。
【図６】図２のＸ−Ｘ方向から見た一部切欠いた拡大断面図である。
【図７】リヤシートの張設状態を示す拡大背面図である。
【図８】シート保持杆の一部切欠いた側面図である。
【図９】図６の矢視IX部分における、ロック杆２４と固定金具２５の取付状態を示す部分斜視図である。
【符号の説明】
【００２８】
１１〜１４  支柱
１５，１６  サイド杆
１７，１８  リヤ杆
１９    サイドシート
２０    リヤシート
２２    嵌合部
２４    ロック杆
２６    シート保持杆
２６ａ  係止部
２６ｂ  連結部
２７    シート支持杆
３１    連結具
Ａ    仮設トイレ
【図１】
2005290859.tif 000003
【図２】
2005290859.tif 000004
【図３】
2005290859.tif 000005
【図４】
2005290859.tif 000006
【図５】
2005290859.tif 000007
【図６】
2005290859.tif 000008
【図７】
2005290859.tif 000009
【図８】
2005290859.tif 000010
【図９】
2005290859.tif 000011